(57)【要約】【課題】ロールペーパーの交換を簡単に行うことができ、紙を確実に切断することが可能な構造の紙巻器を提供する。【解決手段】ロールペーパー６の上方を覆った状態で先端部分６ｅがロールペーパー６の紙６ａを切断するために用いられるカバー３と、カバー３の回転中心となる固定ロッド４を有し、固定ロッド４によってカバーを３回転自在に支持する保持部材２と、カバー３の回転と一体となって回転する回転軸９と、回転軸９に掛け渡され、ロールペーパー６との接触方向にカバー３が回転することを許容する一方、カバー３に反対方向のトルクがかかったとき、一定のトルク以下では回転阻止し、一定のトルク以上では同方向への回転軸９の回転を許容するばね１０とを備える。【選択図】図３
2009213635.tif 000002
【特許請求の範囲】
【請求項１】
ロールペーパーの上方を覆った状態で先端部分がロールペーパーの紙を切断するために用いられるカバーと、
前記カバーの回転中心となる固定ロッドを有し、前記固定ロッドによって前記カバーを回転自在に支持する保持部材と、
前記カバーの回転と一体となって回転する回転軸と、
前記回転軸に掛け渡され、前記ロールペーパーとの接触方向に前記カバーが回転することを許容する一方、前記カバーに反対方向のトルクがかかったとき、一定のトルク以下では回転阻止し、一定のトルク以上では同方向への回転軸の回転を許容するばねと、を備えていることを特徴とする紙巻器。
【請求項２】
前記回転軸と同軸となる固定軸が前記保持部材に設けられ、前記ばねは前記固定軸と回転軸とにかけて外挿されたコイルばねであることを特徴とする請求項１記載の紙巻器。
【請求項３】
前記ばねは前記保持部材に一端が係止された状態で前記回転軸に外挿されたコイルばねであることを特徴とする請求項１記載の紙巻器。
【請求項４】
前記カバーと回転軸との間にブッシュが挟み込まれていることを特徴とする請求項１〜３のいずれか１項記載の紙巻器。
【発明の詳細な説明】
【技術分野】
【０００１】
本発明は、トイレットペーパー、紙タオル等のロールペーパーを保持すると共にロールペーパーの紙を確実にカットすることが可能な紙巻器に関する。
【背景技術】
【０００２】
従来の紙巻器として、特許文献１には、ロールペーパーのペーパー受軸に取り付けられたロールペーパーの空転を防止する空転止めばねと回転止め歯車とを設け、ロールペーパーの紙を切断するカバーを揺動軸に取り付け、カバーの基端部のラチェット爪を回転止め歯車に噛み合わせた構造が開示されている。
【０００３】
特許文献２には、ロールペーパーの上方を覆うカバーにロールペーパーの紙を切断する切取板を取り付ける一方、ロールペーパーの径の変化に合わせてカバーの上下位置を調整するための段溝を設けた構造が開示されている。
【特許文献１】実公昭６２−１２３８４号公報
【特許文献２】特公昭６３−６３２１３号公報
【発明の開示】
【発明が解決しようとする課題】
【０００４】
しかしながら、特許文献１の構造では、ロールペーパーの交換の都度に、ペーパー受軸を取り外すと共に空転止めばねを撓ませる必要があり、ロールペーパーの交換が面倒となる問題がある。又、ロールペーパーの紙を引き出す角度が少しでも上向きになると、紙を引き出しているときにラチェット爪と回転止め歯車とが噛み合うため、所望する量だけの紙を引き出すことができずに切れる問題もある。
【０００５】
特許文献２の構造では、段溝によるカバーの位置調整が段階的であるため、ロールペーパーとカバーとの間に隙間ができ易く、隙間ができることにより紙を確実に切断することができなくなる。このため、カバーに加えて切取板を設けているため、構造が複雑となっている。又、ロールペーパーの交換の際には、段溝との噛み合いを解除しながカバーを動かす必要があり、交換作業が面倒となっている。
【０００６】
本発明は、このような従来の問題点を考慮してなされたものであり、ロールペーパーの交換を簡単に行うことができ、しかも、紙を確実に切断することが可能な構造の紙巻器を提供することを目的とする。
【課題を解決するための手段】
【０００７】
請求項１記載の発明の紙巻器は、ロールペーパーの上方を覆った状態で先端部分がロールペーパーの紙を切断するために用いられるカバーと、前記カバーの回転中心となる固定ロッドを有し、前記固定ロッドによって前記カバーを回転自在に支持する保持部材と、前記カバーの回転と一体となって回転する回転軸と、前記回転軸に掛け渡され、前記ロールペーパーとの接触方向に前記カバーが回転することを許容する一方、前記カバーに反対方向のトルクがかかったとき、一定のトルク以下では回転阻止し、一定のトルク以上では同方向への回転軸の回転を許容するばねと、を備えていることを特徴とする。
【０００８】
請求項２記載の発明は、請求項１記載の紙巻器であって、前記回転軸と同軸となる固定軸が前記保持部材に設けられ、前記ばねは前記固定軸と回転軸とにかけて外挿されたコイルばねであることを特徴とする。
【０００９】
請求項３記載の発明は、請求項１記載の紙巻器であって、前記ばねは前記保持部材に一端が係止された状態で前記回転軸に外挿されたコイルばねであることを特徴とする。
請求項４記載の発明は、請求項１〜３のいずれか１項記載の紙巻器であって、前記カバーと回転軸との間にブッシュが挟み込まれていることを特徴とする。
【発明の効果】
【００１０】
本発明によれば、回転軸を介してカバーが自重により回転して常にロールペーパと接触している。従って、ロールペーパーから引き出した紙を切断する際に、カバーと紙との間に隙間ができないため、紙を確実に切断することができる。紙を切断するときにかかるトルク以上のトルクをカバーにかけることにより、回転軸が回転し、カバーがロールペーパーから離れるため、ロールペーパーの交換を簡単に行うことができる。
【発明を実施するための最良の形態】
【００１１】
以下、本発明を図示する実施形態により、具体的に説明する。なお、各実施形態において、同一の部材には、同一の符号を付して対応させてある。
【００１２】
（第１実施形態）
図１〜図４は本発明の第１実施形態の紙巻器１を示し、図１は平面図、図２は側面図、図３は図１のＡ−Ａ線断面図、図４は要部の分解斜視図である。
【００１３】
図１〜図３に示すように、紙巻器１は保持部材２と、カバー３と、固定ロッド４と、固定軸８と、回転軸９と、ばね１０とを有している。
【００１４】
保持部材２は、側面から見てＬ字形に形成されており、その一辺がトイレ等の壁２０に固定される。保持部材２にはカバー３の回転中心となる固定ロッド４が固定される。固定ロッド４は保持部材２の幅方向に沿って配置されるものであり、固定ロッド４の一方の端部には連結板５が取り付けられている。連結板５にはペーパー受けロッド７が取り付けられている。ペーパー受けロッド７は固定ロッド４と平行となるように連結板５に取り付けられており、このペーパー受けロッド７にロールペーパー６が保持される。
【００１５】
カバー３は、その基端部分が固定ロッド４に回転可能に取り付けられる。すなわち、カバー３の基端部分には筒形状の案内穴３ａが形成されており、案内穴３ａに固定ロッド４が挿入されることによりカバー３が固定ロッド４に対して回転可能となっている。カバー３における保持部材２との対応部分には逃げ部３ｂが形成されている（図１参照）。カバー３はロールペーパー６の上方を覆うようになっており、その先端部分３ｅでロールペーパー６の紙６ａを切断する。紙６ａの切断を容易にするため、カバー３の先端部分３ｅにジグザグ歯を形成しても良い。
【００１６】
保持部材２における壁２０から立ち上がった他の辺には、保持穴２ａ（図３参照）が貫通するように形成されており、この保持穴２ａに固定軸８、回転軸９、ばね１０が配置される。固定軸８及び回転軸９には、固定ロッド４が貫通する（図３参照）。
【００１７】
固定軸８は、大径部８ａ、中径部８ｂ、小径部８ｃを有した段付き軸となっている。また、固定軸８には軸穴８ｄが貫通しており（図４参照）、軸穴８ｄに固定ロッド４が貫通する。そして、保持部材２側からビス１３を固定軸８の大径部８ａ側にねじ込むことにより、保持部材２、固定軸８及び固定ロッド４が連結状態で固定される。
【００１８】
回転軸９は、小径部９ｂ及び中径部９ｃを有した段付き軸となっている。図４に示すように、回転軸９には軸穴９ａが貫通しており、軸穴９ａに固定軸８の小径部８ｃが挿入される。軸穴９ａは、固定軸８の小径部８ｃよりもわずかな大きな径となっており、回転軸９は固定軸８に回転自在に保持される。回転軸９の小径部９ｂは、固定軸８の中径部８ｂと同径となっている。
【００１９】
ばね１０は、両端が自由端となっているコイルばね１０が用いられている。コイルばね１０は左巻きとなっており、その内径が固定軸８の中径部８ｂよりもわずかに小さくなっていることからコイルばね１０はカバー３がロールペーパー６と接触する方向の回転は許容し、逆方向の回転は一定のトルク以上のトルクで回転するようになっている。
【００２０】
回転軸９における中径部９ｃには、スリット９ｄが形成されており、スリット９ｄを介してブッシュ１１（図３及び図４）が連結される。ブッシュ１１は回転軸９のスリット９ｄと噛み合う凸部１１ａが一端側に形成され、他端側にはカバー３のスリット３ｃと噛み合う凸部１１ｂが形成されている。又、ブッシュ１１にはカバー３の案内穴３ａに挿入される筒状のガイド部１１ｃが形成されると共に、固定ロッド４が貫通する軸穴１１ｄが形成されている。ブッシュ１１はカバー３と回転軸９との間に挟み込まれることにより、カバー３が回転すると、カバー３と共に回転し、その回転を回転軸９に伝達する。又、ブッシュ１１はカバー３と回転軸９との間でのガタの発生を防止する。
【００２１】
図３に示すように、ブッシュ１１と反対側にはサブブッシュ１２が取り付けられる。サブブッシュ１２は、カバー３の案内穴３ａにおけるブッシュ１１との反対側の端部に挿入されるものである。
【００２２】
次に、この実施形態の紙巻器１の組付け手順を説明する。まず、固定軸８、回転軸９及びコイルばね１０を組み付けてアッシーとし、このアッシーを保持部材２の保持穴２ａに挿入する。一方、カバー３にはブッシュ１１及びサブブッシュ１２を挿入する。上述したアッシーの回転軸９のスリット９ｄをブッシュ１１の凸部１１ａに位置合わせしながらカバー３の真上又は真横等の直角方向からスライドさせながらアッシーをカバー３に組み付ける。その後、固定ロッド４を一端側から差し込んでサブブッシュ１２、固定軸８、回転軸９、ブッシュ１１を貫通させ、ビス１３をねじ込んで固定する。これにより、カバー３は左右に動くことなく、カバー３の回転に同期して回転軸９が一体的に回転する。このような組付けでは、簡単な操作で行うことが可能となる。
【００２３】
このような本実施形態では、コイルばね１０が左巻きのため、カバー３が図２にけおる反時計方向に回転するときは小さな抵抗となるが、時計方向の回転では大きな抵抗となる。すなわち、コイルばね１０はロールペーパー６の紙６ａを切断するためにカバー３の先端部分に紙６ａをあてて引き上げる方向には大きな抵抗となる。このため、カバー３は紙６ａを切るときには、逃げ方向に回転することがなく、紙６ａを確実に切断することができる。
【００２４】
又、コイルばね１０は固定軸８の中径部８ｂ及び回転軸９の小径部９ｂよりも小さな内径となっているため、これらの軸を常に締め付けた状態となっている。このため、回転軸９の遊びがなく、カバー３の遊びもないため、ロールペーパー６の紙６ａを切る時にカバー３がガタつくことがなく、紙６ａを確実に切断することができる。
【００２５】
さらにコイルばね１０が左巻きとなっているため、ロールペーパー６に接触する方向の回転抵抗は極小さく、カバー３の自重により回転可能であるため、ロールペーパー６の紙の残量が少なくなってもこれに追随することができる。このため、カバー３が常にロールペーパー６と密着した状態を維持しており、秩序のある良好な外観となる。
【００２６】
ロールペーパー６の交換の際には、カバー３をコイルばね１０の巻き込み方向と反対の方向（図２における時計方向）に回転させる。この操作力はコイルばね１０の締付けトルクよりも大きな力で行うことにより、回転軸９がコイルばね１０とスリップして回転するため、カバー３の回転が可能となる。このようなロールペーパー６の交換は、一般的なトイレットペーパーの交換と全く同じであるため、ロールペーパー６の交換を簡単に行うことができる。
【００２７】
（第２実施形態）
図５は本発明の第２実施形態を示す。この実施形態では、第１実施形態に比べて、固定軸８を省略したものであり、コイルばね１０が回転軸９の小径部９ｂだけに外挿されている。コイルばね１０は一端１０ａが保持部材２のスリット２ｂに挿入されて係止されており、他端が自由端となっている。
【００２８】
この実施形態では、第１実施形態と同様に作用し、ロールペーパー６の紙６ａを確実に切断することができると共に、ロールペーパー６の交換が容易となる。又、この実施形態では、固定軸８を省略しているため、部品点数が少なく、構造が簡単であり、組付けがさらに容易となるメリットがある。
【００２９】
（第３実施形態）
図６及び図７は本発明の第３実施形態を示す。この実施形態では、第１実施形態の構造に対し、回転軸９にスリット９ｆを形成している。スリット９ｆは回転軸９に大径部９ｅを形成し、この大径部９ｅに対して切り込みを行うことにより形成されるものである。回転軸９のスリット９ｆは、図６に示すように、カバー３の逃げ部３ｂが挿入して係合するものである。
【００３０】
この実施形態では、スリット９ｆによって回転軸９とカバー３とが直接に連結されているため、カバー３を回転させると、回転軸９がカバー３と一体的に回転する。その他の作用及び組付け方法は第１実施形態と同様である。
【図面の簡単な説明】
【００３１】
【図１】本発明の第１実施形態の平面図である。
【図２】第１実施形態の側面図である。
【図３】図１のＡ−Ａ線断面図である。
【図４】要部の分解斜視図である。
【図５】本発明の第２実施形態の断面図である。
【図６】本発明の第３実施形態の断面図である。
【図７】第３実施形態の分解斜視図である。
【符号の説明】
【００３２】
１  紙巻器
２  保持部材
３  カバー
３ｅ  先端部分
４  固定ロッド
６  ロールペーパー
６ａ  紙
８  固定軸
９  回転軸
１０  コイルばね
【図１】
2009213635.tif 000003
【図２】
2009213635.tif 000004
【図３】
2009213635.tif 000005
【図４】
2009213635.tif 000006
【図５】
2009213635.tif 000007
【図６】
2009213635.tif 000008
【図７】
2009213635.tif 000009